(57)【要約】【課題】  排煙又は集気を効率よく行うとともに、フードによって照明の光が遮られることがない集煙具又は集気具を提供すること。【解決手段】  集煙具１は、卓上の加熱調理器具の上方に配設される垂下管１１の下端に着脱可能となっている吸い込みヘッド２と吸い込みヘッド２の一部が挿通可能となっている挿通穴を有し、透明素材からなる部分を有するフード３とを備え、吸い込みヘッド２の一部が挿通穴に挿通されることによって、吸い込みヘッド２がフード３を当接支持し、このフード３を支持した吸い込みヘッド２が垂下管１１の下端に装着されるようになっている。【選択図】  図１
0003155317.tif 000002
【実用新案登録請求の範囲】
【請求項１】
卓上の加熱調理器具の上方に配設される垂下管の下端に着脱可能となっている吸い込みヘッドと、
前記吸い込みヘッドの一部が挿通可能となっている挿通穴を有し、透明素材からなる部分を有するフードとを備え、
前記吸い込みヘッドの一部が前記挿通穴に挿通されることによって、吸い込みヘッドが前記フードを当接支持し、このフードを支持した吸い込みヘッドが前記垂下管の下端に装着されるようになっていることを特徴とする集煙具又は集気具。
【請求項２】
前記フードは、前記透明素材からなる部分の外周縁及び挿通穴の周縁にそれぞれ金属製の枠が取り付けられていることを特徴とする請求項１に記載の集煙具又は集気具。
【考案の詳細な説明】
【技術分野】
【０００１】
本考案は、卓上の加熱調理器具の上方に配設される排煙用の垂下管に取り付けられる集煙具又は集気具に関する。
【背景技術】
【０００２】
従来、卓上の加熱調理器具の上方に排煙用又は集気用の垂下管が配設されている。排煙用又は集気用の垂下管の下端には、効率よく集煙又は集気して吸引するために、フードなどを有する集煙具又は集気具が取り付けられるようになっている。
【０００３】
例えば、肉や魚介類等を焼くロースターの上方に設けられる排煙用の垂下管として、特許文献１に示すものがある。特許文献１の排煙装置は、垂下管の下端にフードが取り付けられており、ロースターで発生する煙を効率よく集めて吸引できるようになっている。
【先行技術文献】
【特許文献】
【０００４】
【特許文献１】特開２００５−９０８４１
【考案の概要】
【考案が解決しようとする課題】
【０００５】
しかし、垂下管の下端にフードが取り付けられることによって、天井に設置された照明の光が遮られ、ロースター付近が暗くなる恐れがあるという問題がある。
【０００６】
上記点より本考案は、排煙又は集気を効率よく行うとともに、フードによって照明の光が遮られることがない集煙具又は集気具を提供することを目的とする。
【課題を解決するための手段】
【０００７】
上記課題を解決するため請求項１の集煙具又は集気具は、卓上の加熱調理器具の上方に配設される垂下管の下端に着脱可能となっている吸い込みヘッドと、前記吸い込みヘッドの一部が挿通可能となっている挿通穴を有し、透明素材からなる部分を有するフードとを備え、前記吸い込みヘッドの一部が前記挿通穴に挿通されることによって、吸い込みヘッドが前記フードを当接支持し、このフードを支持した吸い込みヘッドが前記垂下管の下端に装着されるようになっている。
【０００８】
この請求項１の集煙具又は集気具によれば、フードが透明素材からなる部分を有するので、排煙又は集気を効率よく行えるとともにフードによって照明の光が遮られることがなく、加熱調理器具付近の明るさを維持することができる。
【０００９】
また、吸い込みヘッドの一部が挿通穴に挿通されることによって、吸い込みヘッドがフードを当接支持しのフードを支持した吸い込みヘッドが垂下管の下端に装着されるようになっている。吸い込みヘッドを吸い込みヘッドが前記垂下管の下端から取り外し、吸い込みヘッドの一部を挿通穴から抜くことによって容易に、垂下管、吸い込みヘッド、フードと分解することができる。これにより、例えば、使用によって汚れた吸い込みヘッドやフードの洗浄・交換等を容易に行うことが出来る。
【００１０】
請求項２の集煙具又は集気具は、請求項１の集煙具又は集気具において、前記フードは、前記透明素材からなる部分の外周縁及び挿通穴の周縁にそれぞれ金属製の枠が取り付けられている。
【００１１】
この請求項２の集煙具又は集気具によれば、請求項１の集煙具又は集気具と同様に作用する上、フードは、透明素材からなる部分の外周縁及び挿通穴の周縁にそれぞれ金属製の枠が取り付けられていることによって、衝撃等によって割れることを防止することができるとともに、もし割れた場合に破片が飛び散ることを防止することができる。
【考案の効果】
【００１２】
請求項１又は２の考案によれば、排煙又は集気を効率よく行うとともに、フードによって照明の光が遮られることがないという効果がある。また、垂下管、吸い込みヘッド、フードと分解することができるので、吸い込みヘッド及びフードの洗浄・交換等のメンテナンスが容易に行うことができるという効果がある。
【図面の簡単な説明】
【００１３】
【図１】本考案の一実施形態の集煙具（集気具）を垂下管に取り付けた状態を示す側面図である。
【図２】垂下管、集煙具である吸い込みヘッド及びフードを分解した状態を示す側面分解図である。
【図３】集煙具である吸い込みヘッド及びフードの断面図である。
【図４】フードの上面図である。
【考案を実施するための形態】
【００１４】
以下、本考案の一実施形態について図面に基づいて説明する。図１は、本考案の一実施形態の集煙具１を垂下管１１に取り付けた状態を示す側面図である。
【００１５】
垂下管１１は、横断面が円の中空筒体であり、卓上のロースター、コンロ等の加熱調理器具の上方に配設されている。垂下管１１は、加熱調理器具から発生する煙や水蒸気を吸引して、室内に煙や水蒸気が充満することを防止できるようになっている。垂下管１１は、下端と加熱調理器具との距離を調節できるように伸縮自在であってもよい。
【００１６】
図１に示すように、垂下管１１の下端には、煙や水蒸気を効率よく垂下管１１へ誘導しつつ吸引する集煙具１が取り付けられるようになっている。集煙具１は、吸い込みヘッド２とフード３とから構成されている。
【００１７】
図２は、垂下管１１、集煙具１である吸い込みヘッド２及びフード３を分解した状態を示す側面分解図であり、垂下管１１の下端には、後述する吸い込みヘッド２の嵌合突起２４（図３参照）と嵌合するための嵌合切り欠き１１ａが形成されている。吸い込みヘッド２の嵌合突起２４と垂下管１１の嵌合切り欠き１１ａによって、吸い込みヘッド２は垂下管１１の下端に着脱可能となっている。
【００１８】
吸い込みヘッド２は、加熱調理器具に近い位置にあり吸気部２１、垂下管１１の下端と嵌合する嵌合部２３、及び吸気部２１と嵌合部２３との間に位置する段差部２２を有する。
【００１９】
図３は、集煙具１である吸い込みヘッド２及びフード３の断面図であり、吸気部２１は、横断面が円であって加熱調理器具側が底部２１ａで閉鎖されている筒状体である。吸気部２１の側周面２１ｂには、複数の吸気孔が形成されている。これらの吸気孔を通して加熱調理器具から発生する煙や水蒸気が吸い込みヘッド２の内部に吸引される。
【００２０】
段差部２２は、吸気部２１と連続する内部空間を有し、横断面が円の筒状体である。段差部２２は、側周面の一部がフランジ状に突出した突出部２５を有している（図２参照）。この突出部２５によって、段差部２２の側周面には段差が形成されている。
【００２１】
嵌合部２３は、吸気部２１及び段差部２２と連続する内部空間を有し、横断面が円の筒状体である。嵌合部２３の横断面の円の直径は、前述の垂下管１１の横断面の円の直径より大きくなっており、垂下管１１は下端から嵌合部２３に挿入可能となっている。図３に示すように、嵌合部２３の周側面の内壁には、前述の垂下管１１の嵌合切り欠き１１ａと勘合する嵌合突起２４が設けられている。
【００２２】
図４はフード３の上面図であり、フード３は、耐熱ガラス、耐熱樹脂等の透明素材からなり、中央に挿通穴３４を有する傘部３１と、傘部３１の外周縁及び挿通穴３４の周縁には、それぞれ金属製のリング状の外枠３２及び内枠３３が取り付けられている。
【００２３】
図２に示すように、フード３は吸い込みヘッド２の一部である嵌合部２３及び段差部２２の一部が挿通穴３４に挿通されることによって、吸い込みヘッド２がフード３を下方から当接支持するようになっている。
【００２４】
図１に示すように、このフード３を支持した吸い込みヘッド２が、垂下管１１の下端に装着されるようになっている。
【００２５】
吸い込みヘッド２がフード３を下方から当接支持している状態では、図３に示すように、フード３のリング状の内枠３３の底面３３ａが段差部２２のフランジ状に突出した突出部２５の上面２５ａに隙間がなく当接しているので、フード３の内部に誘導された煙や水蒸気等がこの部分から漏れ出すことを防止できる。
【００２６】
上記実施形態において図１〜図３で説明した吸気部２１の形状は一例であって、これに限定されることなく、例えば、吸気部が先端に行くに従って細くなるような、図１〜図３で説明した形状以外の形状であってもよい。さらに、吸い込みヘッド２は、吸気部２１にあたる部分がなく、少なくとも段差部２２と嵌合部２３とを有していてもよい。
【符号の説明】
【００２７】
１      集煙具
２      吸い込みヘッド
３      フード
１１    垂下管
１１ａ  嵌合切り欠き
２１    吸気部
２１ａ  底部
２１ｂ  側周面
２２    段差部
２３    嵌合部
２４    嵌合突起
２５    突出部
２５ａ  上面
３１    傘部
３２    外枠
３３    内枠
３３ａ  底面
３４    挿通穴
【図１】
0003155317.tif 000003
【図２】
0003155317.tif 000004
【図３】
0003155317.tif 000005
【図４】
0003155317.tif 000006